(57)【要約】      （修正有）【課題】容器内に収容された植物を、様々な方向から鑑賞可能な植物収容容器を提供する。【解決手段】植物６０が収納される植物収容容器１００であって、開口部を有する透明容器１０と、開口部を閉塞可能な蓋体２０と、植物６０が植栽される植栽部３０と、この植栽部３０を懸吊可能な懸吊部材４０と、を備えることを特徴とする構成となっている。このように植物６０が植栽された植栽部３０を宙づりすることにより、透明容器１０内に収容された植物６０を様々な方向から鑑賞することができる。【選択図】図１
0003211319.tif 000002
【実用新案登録請求の範囲】
【請求項１】
植物が収納される植物収容容器であって、
開口部を有する透明容器と、
前記開口部を閉塞可能な蓋体と、
前記植物が植栽される植栽部と、
この植栽部を懸吊可能な懸吊部材と、を備えることを特徴とする、植物収容容器。
【請求項２】
前記懸吊部材は、前記植栽部を宙吊り可能な吊線を有していることを特徴とする、請求項１に記載の植物収容容器。
【請求項３】
前記懸吊部材は、前記吊線を前記蓋体に固定可能な固定用部材をさらに有し、
前記蓋体には、前記固定用部材を係止可能な係止部が設けられていることを特徴とする、請求項２に記載の植物収容容器。
【請求項４】
前記透明容器と前記蓋体の間には、前記透明容器内を気密に封止可能な弾性部材が設けられていることを特徴とする、請求項１〜３の何れかに記載の植物収容容器。
【請求項５】
前記植物は、ラン科植物であることを特徴とする、請求項１〜４の何れかに記載の植物収容容器。
【請求項６】
前記ラン科植物は、メディオカルカ・デコラタム，デンドロビューム・スブリフェラム，セッコクから選ばれることを特徴とする請求項５に記載の植物収容容器。
【請求項７】
前記植栽部は、水苔で形成されていることを特徴とする、請求項１〜６の何れかに記載の植物収容容器。
【考案の詳細な説明】
【技術分野】
【０００１】
本考案は、植物を収容する植物収容容器に関する。
【背景技術】
【０００２】
従来、水やり等の日頃の管理や手間をかけることなく植物を成育・鑑賞する容器として、透明容器内に植物を収容する植物観察装置が提案されている。
【０００３】
例えば、透明容器内に、植物が立ち姿勢となるように根を保持する厚さを有し且つ水を含む保持層と、この保持層に根が埋入された前記植物と、を収容してなる植物観察装置が知られている（特許文献１）
【先行技術文献】
【特許文献】
【０００４】
【特許文献１】特開２０１５−８２９７２号公報
【考案の概要】
【考案が解決しようとする課題】
【０００５】
しかしながら、特許文献１に記載されている植物観察装置は、通常の植木と同様に、立ち姿勢となるよう植物を保持する保持層を有しているため、透明容器の下方や下方斜め方向から植物を観察（鑑賞）する場合には、保持層により観察したい植物が隠れてしまう。
【０００６】
そのため、特許文献１に係る植物観察装置は、保持層により植物を鑑賞可能な方向が制限されており、この植物観察装置を棚上等の高所にレイアウトする場合等には、保持層に遮られて植物を視認することができず、鑑賞することができないという問題があった。
【０００７】
そこで、本考案は、容器内に収容された植物を、様々な方向から鑑賞可能な植物収容容器を提供することを課題とする。
【課題を解決するための手段】
【０００８】
上記課題を解決するため、本考案に係る植物収容容器は、植物が収納される植物収容容器であって、開口部を有する透明容器と、前記開口部を閉塞可能な蓋体と、前記植物が植栽される植栽部と、この植栽部を懸吊可能な懸吊部材と、を備えることを特徴とする。
【０００９】
本考案に係る植物収容容器によれば、植物が植栽される植栽部が、懸吊部材によって透明容器内の空間に懸吊されて保持されることにより、透明容器内の植物を様々な方向から鑑賞することができる。
【００１０】
本考案の好ましい形態では、前記懸吊部材は、前記植栽部を宙吊り可能な吊線を有していることを特徴とする。
このように吊線を用いることで、容易に植栽部を宙吊りすることができる。
【００１１】
本考案の好ましい形態では、前記懸吊部材は、前記吊線を前記蓋体に固定可能な固定用部材をさらに有し、前記蓋体には、前記固定用部材を係止可能な係止部が設けられていることを特徴とする。
このように、固定用部材によって吊線を蓋体に取り付けることにより、容易に植物の出し入れを行うことができる。
【００１２】
本考案の好ましい形態では、前記透明容器と前記蓋体の間には、前記透明容器内を気密に封止可能な弾性部材が設けられていることを特徴とする。
このように、透明容器内を密閉する弾性部材を設けることにより、水やり等の日頃の管理や手間をかけることなく、長期間にわたり植物を成育させることができる。
【００１３】
本考案の好ましい形態では、前記植物は、ラン科植物であることを特徴とする。
このように、ラン科植物を採用することにより、より長期間にわたり植物を成育することができる。また、ラン科植物は生育が緩やかで、長期間の間、容器の中でレイアウトを崩さずに生育可能である。また、閉鎖環境によく適応することができる。
【００１４】
本考案の好ましい形態では、前記ラン科植物は、メディオカルカ・デコラタム，デンドロビューム・スブリフェラム，セッコクから選ばれることを特徴とする。
このような種類のラン科植物を採用することにより、より長期間にわたり植物を成育させることができる。
【００１５】
本考案の好ましい形態では、前記植栽部は、水苔で形成されていることを特徴とする。
このように、植栽部は水苔により形成されていることにより、より容易に植物を植え付けることができ、長期間にわたり植栽部の形状を維持することができる。
【考案の効果】
【００１６】
本考案は、容器内に収容された植物を、様々な方向から鑑賞可能な植物収容容器を提供することができる。
【図面の簡単な説明】
【００１７】
【図１】本考案の一実施形態に係る植物収容容器の斜視図である。
【図２】本考案の一実施形態に係る植物収容容器の分解斜視図である。
【図３】本考案の一実施形態に係る植物収容容器の縦断面図である。
【考案を実施するための形態】
【００１８】
以下、本考案を図面に示した好ましい一実施形態について、図１〜図３を用いて詳細に説明する。本考案の技術的範囲は、添付図面に示した実施形態に限定されるものではなく、実用新案登録請求の範囲に記載された範囲内において、適宜変更が可能である。
【００１９】
図１は、本考案に係る植物収容容器１００の斜視図であり、透明容器１０内に植物６０を収容した様子を示している。図２は、本考案に係る植物収容容器１００の分解斜視図である。図３は、本考案に係る植物収容容器１００の縦断面図である。
【００２０】
本考案は、植物６０が収納される植物収容容器１００であって、開口部１１を有する透明容器１０と、開口部１１を閉塞可能な蓋体２０と、透明容器１０内の空間Ｓに収容され植物６０が植栽される植栽部３０と、この植栽部３０を懸吊可能な懸吊部材４０と、を備えることを特徴とする。
また、透明容器１０と蓋体２０との間には、透明容器１０内の空間Ｓを気密に封止可能なパッキン５０（弾性材料の一例）を設けてもよい。
【００２１】
透明容器１０は、空間Ｓを有する有底筒状に形成されており、植物６０を容器内の空間Ｓに導入可能な開口部１１と、側面１２と、底面１３と、を有している。
この透明容器１０の側面１２及び底面１３は、透明に形成されており、この透明容器１０の材料としては、ガラスや合成樹脂等を例示することができる。この他にも、透明な材料であれば当然に採用することができる。
【００２２】
なお、図１ないし図３においては、透明容器１０の側面１２が円筒状に形成されたものを例示したが、球状や角柱状等のものなど、任意の形状を採用することができる。また、開口部１１も任意の位置に配置して良い。
【００２３】
蓋体２０は、透明容器１０の開口部１１に嵌合可能な大きさに形成されており、懸吊部材４０を係止可能な係止用空間２１（係止部の一例）と、パッキン５０を取付け可能な外周面２２と、を有している。
【００２４】
係止用空間２１は、内周面が幅広に形成された大径内周面２１１と、この大径内周面２１１の下部に設けられ、内周面が幅狭に形成された小径内周面２１２と、を有している。すなわち、係止用空間２１は、空間の上方から下方にかけて径が窄まるように構成されており、この下方の小径内周面２１２よりも大径に形成された懸吊部材４０の一部が係止される。このように小径内周面２１２に、懸吊部材４０が係止されることにより、この蓋体２０と懸吊部材４０とが接続できるよう構成されている。
係止部の一例として係止用空間２１について説明したが、懸吊部材４０（特に吊線４１）を固定可能な構成であれば採用することができ、慣用手段を用いることができる。
【００２５】
外周面２２は、弾性材料により形成されたパッキン５０が密着可能な径に形成されている。すのわち、外周面２２の径は、通常状態のパッキン５０よりも少し大径に形成されており、径方向の外側向かって変形された拡径状態のパッキン５０が、復元力によって外周面２２に密着・固定される大きさに設定されている。
また、図２及び図３に示す様に、外周面２２の中間部に窪みを設けて、パッキン５０が嵌る構成を採用してもよい。
【００２６】
なお、図１ないし図３においては、開口部１１に差し込んで開口部１１を塞ぐ、いわゆる栓形状の蓋体２０を示したが、透明容器１０の開口部１１を覆う形状に形成されていればよく、開口部１１に覆い被さって塞ぐ、いわゆる被せ蓋形状であってもよい。
【００２７】
この蓋体２０の材料としては、図１〜３に示す様に、透明容器１０と同様にガラス等の透明な材料を採用してもよいし、シリコーンゴムやコルク，綿等、任意の材料を採用してもよい。また、蓋体２０自体を弾性材料で形成する場合には、パッキン５０を設ける必要はない。
【００２８】
植栽部３０は、好ましくは水苔により形成されており、この水苔を任意の形状に固める（まとめる）ことにより構成されている。この水苔は、植物６０の成長に好ましい保水力、通気性、柔らかさを有しており、この水苔を植物６０の根に巻き付け、編み込むようにして、植栽部３０を形成している。なお、必要に応じ、アクリル線等を巻き付ける等して植栽部３０の形状を整えてもよい。
【００２９】
図１〜３においては、球状に形成した植栽部３０を例示したが、直方体や角柱状，ハート型や星形等、任意の形状を採用することができる。
また、この水苔は、湿地に生育するコケの一種であり、植え込み材料として一般的に流通している水苔を採用することができる。また、水苔は、水苔繊維が連なって形成されているため、出荷時や移動時に、土や砂利等のように飛散しにくいというメリットがある。
【００３０】
懸吊部材４０は、透明容器１０の空間Ｓ中に植栽部３０を宙吊りする部材であり、吊線４１と、この吊線４１を蓋体２０の係止用空間２１に固定する固定用部材４２と、を有している。
【００３１】
吊線４１は、植栽部３０を吊下支持可能な強度を有していればよく、ピアノ線や針金等の金属線や、アクリル線やポリメチルメタクリレート線等を採用することができる。また、より好ましくは、アクリル線等の透明な吊線４１を採用することで、吊線４１を見えにくくして、植栽部３０が宙に浮いているように見せることができる。
【００３２】
固定用部材４２は、吊線４１と接続可能な接続部分４２１と、蓋体２０の係止用空間２１に係止される係止部分４２２と、を有している。
この固定用部材４２は、例えば、可撓性を有する針金等の金属線により形成されており、一端側には、吊線４１を括りつけることが可能な接続部分４２１が形成され、他端側には、蓋体２０の係止用空間２１内に導入して、小径内周面２１２に係止される係止部分４２２が形成されている。この係止部分４２２は、針金を小径内周面２１２の径よりも、大径に変形させることで、小径内周面２１２に係止され、係止用空間２１に固定される。
【００３３】
パッキン５０は、蓋体２０の外周面２２に密着する内周面５１と、透明容器１０の開口部１１の内周面１１ａに当接される外周面５２と、を有している。このパッキン５０は、弾性材料により形成されており、蓋体２０の外周面２２と開口部１１の内周面１１ａを気密に封止して、透明容器１０内の空間Ｓを密閉することができる。
【００３４】
植物６０は、ラン科植物を採用することが望ましい。特に、ラン科植物の中でも、メディオカルカ・デコラタム（Mediocalcar decoratum），デンドロビューム・スブリフェラム（Dendroboum subliferum），セッコク（Dendrobium moniliforme）を選択して植栽することが望ましい。
このように植物６０に生育が緩やかなラン科植物を採用することにより、長期間の間透明容器１０の中でレイアウトを崩さずに生育可能である。また、閉鎖環境によく適応する。
なお、植物６０は、植栽部３０で育成可能な植物であれば良く、例えば、苔類や観葉植物等を採用してもよい。
【００３５】
本考案に係る植物収容容器１００によれば、植物６０が植栽された植栽部３０が、懸吊部材４０によって透明容器１０内の空間Ｓに懸吊されて保持されることにより、透明容器１０内の植物６０を様々な方向から鑑賞することができる。すなわち、透明容器１０の側面１２や底面１３が透明であり、透明容器１０内には植栽部３０のみが収容されているため、植物収容容器１００の何れの方向から見た場合でも、植物６０を鑑賞することができる。そのため、下から見上げるような高い位置に植物収容容器１００をレイアウトした場合でも、植物６０を視認し、鑑賞することができる。
【００３６】
また、本考案に係る植物収容容器１００によれば、植栽部３０を接続した吊線４１を蓋体２０に接続したことにより、植物６０の出し入れを容易に行うことができる。すなわち、蓋体２０を透明容器１０に取り付ける（嵌合する）際や、蓋体２０を取り外す（分離する）際、これと同時に、植物６０を空間Ｓに収容したり、取り出したりすることができる。そのため、植物６０を容易に取り出して手入れすることができるとともに、透明容器１０の洗浄も極めて簡単に行うことができる。
【００３７】
また、本考案に係る植物収容容器１００によれば、透明容器１０内が密閉状態に保たれていることにより、水やり等の日頃の管理や手間をかけることなく、長期間にわたり植物６０を成育することができる。すなわち、植物６０が植栽部３０内や透明容器１０内に蓄積された水と光とによりＣＯ２からＯ２を生成する光合成（炭酸同化作用）と、植物６０がＯ２を吸いＣＯ２を出す生命維持活動（呼吸作用）との均衡が透明容器１０内で保たれる。その結果、日頃の管理や手間をかけることなく、長い期間にわたり植物６０を観賞することができ、その成長を観察して楽しむことができる。
【符号の説明】
【００３８】
１００  植物収容容器
１０  透明容器
１１  開口部
２０  蓋体
２１  係止用空間
２２  外周面
３０  植栽部
４０  懸吊部材
４１  吊線
４２  固定用部材
５０  パッキン
５１  内周面
５２  外周面
６０  植物
Ｓ  空間
【図１】
0003211319.tif 000003
【図２】
0003211319.tif 000004
【図３】
0003211319.tif 000005